(57)【要約】【課題】工場出荷時の送信出力調整作業を簡素化し、その調整作業に要する負担を大幅に軽減する。【解決手段】ＨＰＡ３内部の固有特性記憶部３３にＨＰＡ個体固有の設定コード単位利得量特性及び周波数単位利得量特性を予め記憶し、送信信号生成部２側では、固有特性記憶部３３に記憶中のＨＰＡ個体固有の設定コード単位利得量特性及び周波数単位利得量特性に基づき、無線基地局側で設定した設定周波数に応じたＨＰＡ３の適正な利得量に関わるランピング制御信号の設定コードを演算取得し、その取得した設定コードをＨＰＡ３に通知し、ＨＰＡ３側では、受信した設定コードに基づきランピング制御信号を生成し、このランピング制御信号に基づき、ＲＦ信号を増幅出力する。【選択図】図１
2010130221.tif 000002
【特許請求の範囲】
【請求項１】
送信信号を生成する送信信号生成部と、この送信信号生成部にて生成した送信信号を、設定周波数に応じたランピング制御信号に基づき増幅出力する高出力増幅部とを有する無線通信機の送信出力制御装置であって、
前記無線通信機の通信可能周波数帯域の内、特定周波数における前記ランピング制御信号を設定した設定コード毎に、前記高出力増幅部固有の利得量を示す設定コード単位利得量特性及び、前記通信可能周波数帯域内の周波数毎に、前記高出力増幅部固有の利得量を示す周波数単位利得量特性を記憶した、前記高出力増幅部内部の固有特性記憶部と、
前記固有特性記憶部に記憶中の設定コード単位利得量特性及び周波数単位利得量特性に基づき、前記ランピング制御信号の設定コードを演算取得し、この設定コードを前記高出力増幅部に通知する設定コード演算部と、
前記設定コード演算部から受信した設定コードに基づき、前記ランピング制御信号を生成する、前記高出力増幅部内部のランピング制御信号生成部と
を有することを特徴とする無線通信機の送信出力制御装置。
【請求項２】
送信信号を生成する送信信号生成部と、この送信信号生成部にて生成した送信信号を、設定周波数に応じたランピング制御信号に基づき増幅出力する高出力増幅部とを有する無線通信機の送信出力制御装置であって、
前記無線通信機の通信可能周波数帯域の内、特定周波数における前記ランピング制御信号を設定した設定コード毎に、前記高出力増幅部固有の利得量を示す設定コード単位利得量特性及び、前記通信可能周波数帯域内の周波数毎に、前記高出力増幅部固有の利得量を示す周波数単位利得量特性を記憶した、前記高出力増幅部内部の固有特性記憶部と、
前記固有特性記憶部に記憶中の設定コード単位利得量特性及び周波数単位利得量特性を取得し、これら取得した設定コード単位利得量特性及び周波数単位利得量特性に基づき、前記高出力増幅部の利得量を算出する利得量演算部と、
前記利得量演算部にて算出した前記利得量に対応する前記ランピング制御信号の設定コードを前記設定コード単位利得量特性から取得するランピング制御用設定コード取得部と、
前記ランピング制御用設定コード取得部にて取得した設定コードを前記高出力増幅部に通知する設定コード通知部と、
前記設定コード通知部から受信した設定コードに基づき、前記ランピング制御信号を生成する、前記高出力増幅部内部のランピング制御信号生成部と
を有することを特徴とする無線通信機の送信出力制御装置。
【請求項３】
前記利得量演算部は、
無線通信する無線基地局側で設定した前記設定周波数及び、その設定周波数に対する設定出力量を検出する設定検出部と、
前記設定検出部にて設定周波数及び設定出力量を検出すると、前記設定コード単位利得量特性及び前記周波数単位利得量特性を前記固有特性記憶部から取得する固有特性取得部と、
前記設定出力量に対応する設定コードを前記設定コード単位利得量特性から取得する設定コード取得部と、
前記設定コード単位利得量特性の前記特定周波数及び前記設定周波数に対応する利得量を前記周波数単位利得量特性から取得する利得量取得部と、
前記利得量取得部にて取得した前記特定周波数及び前記設定周波数に対応する利得量同士の差分を算出し、この差分結果と前記設定出力量とを加算する利得量算出部とを有し、
前記ランピング制御用設定コード取得部は、
前記利得量算出部の加算結果である前記利得量に対応する前記ランピング制御信号の設定コードを前記設定コード単位利得量特性から取得することを特徴とする請求項２記載の無線通信機の送信出力制御装置。
【請求項４】
前記高出力増幅器にて増幅出力した前記送信信号をアンテナ出力する前段回路部と、
前記通信可能周波数帯域内の周波数帯毎に、前記前段回路部の利得損失分を補償する前段回路用利得量を記憶した前段回路用利得量記憶部とを有し、
前記利得量算出部は、
前記設定周波数に対応する前記周波数帯の前段回路用利得量を前記前段回路用利得量記憶部から取得し、この取得した前段回路用利得量と、前記利得量取得部にて取得した前記特定周波数及び前記設定周波数に対応する利得量同士の差分結果と、前記設定出力量とを加算することを特徴とする請求項３記載の無線通信機の送信出力制御装置。
【請求項５】
前記設定コード通知部は、
前記高出力増幅部に対する前記設定コードの通知開始から、この設定コードに基づき、前記ランピング制御信号生成部にて前記ランピング制御信号を生成出力するまでの所要時間を予め設定し、この所要時間に基づき、前記高出力増幅部による前記送信信号の受信タイミングと、前記ランピング制御信号の出力タイミングとを合わせるべく、前記設定コードの通知開始タイミングを制御することを特徴とする請求項２〜４の何れか一記載の無線通信機の送信出力制御装置。
【請求項６】
前記送信信号生成部は、
ベースバンド信号を生成するベースバンド処理部と、
前記ベースバンド処理部にて生成した前記ベースバンド信号を変調して前記送信信号を出力する無線処理部とを有し、
前記ベースバンド処理部は、
前記利得量演算部及び前記ランピング制御用設定コード取得部を有し、
前記無線処理部は、
前記設定コード通知部を有することを特徴とする請求項２〜５の何れか一記載の無線通信機の送信出力制御装置。
【請求項７】
前記送信信号生成部は、
ベースバンド信号を生成するベースバンド処理部と、
前記ベースバンド処理部にて生成した前記ベースバンド信号を変調して前記送信信号を出力する無線処理部とを有し、
前記ベースバンド処理部は、
前記利得量演算部、前記ランピング制御用設定コード取得部及び前記設定コード通知部を有し、
前記設定コード通知部は、
前記ベースバンド処理部から設定コードを前記高出力増幅部に直接通知することを特徴とする請求項２〜５の何れか一記載の無線通信機の送信出力制御装置。
【発明の詳細な説明】
【技術分野】
【０００１】
本発明は、移動体無線通信機等に使用され、工場出荷時における無線通信機の送信出力調整を簡素化した無線通信機の送信出力制御装置に関する。
【背景技術】
【０００２】
近年、例えば、ＧＳＭ（Ｇｌｏｂａｌ Ｓｙｓｔｅｍ ｏｆ Ｍｏｂｉｌｅ Ｃｏｍｍｕｎｉｃａｔｉｏｎ）等の無線通信機に要求されるランピングマスク仕様、例えば、ランピングマスクの規格値以下の出力電力を安定保持する仕様を満たすためには、煩雑な送信出力制御が必要となる。
【０００３】
そこで、従来の無線通信機の送信出力制御装置では、ベースバンド信号を出力するベースバンド処理部と、ベースバンド信号を高周波（以下、単にＲＦと称する）変調してＲＦ信号を出力する無線処理部と、無線処理部にて出力したＲＦ信号を増幅する高出力増幅器（以下、単にＨＰＡと称する）と、ＨＰＡにて増幅したＲＦ信号を、アンテナを通じて送信出力するフロントエンドモジュール（以下、単にＦＥＭと称する）とを有している。
【０００４】
ＨＰＡは、ランピングマスク仕様を満たすために、無線基地局側の設定周波数に応じたランピング制御信号に基づき、無線処理部からのＲＦ信号のバースト波形及び利得を決定し、無線処理部からのＲＦ信号を増幅出力するものである。
【０００５】
また、ランピングマスク仕様を満たした送信出力制御を得るためにも、無線処理部の出力電力、ＨＰＡの利得及びＦＥＭ内部のアンテナ切替部による伝送損失等の個別バラツキを調整する必要がある。
【０００６】
そこで、送信出力制御装置は、無線処理部の出力電力、ＨＰＡの利得及びＦＥＭ内のアンテナ切替部の伝送損失等の個別バラツキを調整する調整値を記憶した不揮発性メモリを有している。尚、不揮発性メモリに記憶中の調整値は、無線通信機の工場出荷時に、無線処理部、ＨＰＡ及びＦＥＭの個別バラツキを調整し、その調整作業で得た値である。
【０００７】
その結果、従来の無線通信機の送信出力制御装置では、無線通信時に、不揮発性メモリに記憶中の調整値に基づき、無線処理部、ＨＰＡ及びＦＥＭを調整し、各無線処理部、ＨＰＡ及びＦＥＭの個別バラツキを抑制することができる。
【０００８】
また、フィードバックループを使用し、温度特性、周波数特性、電源電圧特性等の代表値を外部メモリに予め記憶しておき、これら各特性の代表値を演算して送信出力を安定化させる方法も考えられている。
【０００９】
【特許文献１】特許第３６０１０２４号公報
【特許文献２】特開昭６０−９６０１１号公報
【発明の開示】
【発明が解決しようとする課題】
【００１０】
一般的に、例えば、９００ＭＨｚ帯のＧＳＭ方式の無線通信機の場合、送信電力のパワーコントロールレベル（以下、ＰＣＬと称する）は基地局との距離に応じて１５段階あり、１８００ＭＨｚ帯のＤＣＳ（Ｄｉｓｔｒｉｂｕｔｅｄ  Ｃｏｎｔｒｏｌ  Ｓｙｓｔｅｍ）の無線通信機や１９００ＭＨｚ帯のＰＣＳ（Ｐｅｒｓｏｎａｌ  Ｃｏｍｍｕｎｉｃａｔｉｏｎ  Ｓｅｒｖｉｃｅｓ）の無線通信機の場合、送信電力のＰＣＬは１６段階ある。
【００１１】
つまり、部品毎に周波数帯内での周波数特性を有することは勿論のこと、各周波数帯及び周波数帯内の周波数特性とＰＣＬとの組合せもあり、これら部品のバラツキを工場出荷時に個別に調整する必要があるが、周波数帯内の周波数毎のＰＣＬの段階数を考えても、その調整ポイントは非常に多い。
【００１２】
その結果、調整ポイントの増加に比例して、無線通信機の工場出荷時の調整作業に要する時間が増加し、その調整作業に要する負担等で無線通信機の製品コストが上昇してしまうおそれがある。
【００１３】
また、フィードバックループを使用して外部メモリに記憶中の温度特性、周波数特性や電源電圧特性等の代表値に基づき送信出力を安定化させる方法では、ＨＰＡやアナログ形式のランピングデータを生成するためのＤ／Ａ変換部等の出力電圧等、各部品の個別バラツキを吸収する手段はなく、しかも、サーミスタや検波回路等といった部品点数の増加がコストアップに繋がる。
【００１４】
しかも、この方法の場合にも、当然ながら、工場出荷時に各部品の個別バラツキを吸収するための調整作業が必要なため、その調整作業に要する負担等で無線通信機の製品コストが上昇してしまうおそれがある。
【００１５】
本発明は上記点に鑑みて成されたものであり、その目的とするところは、工場出荷時の調整作業を簡素化し、その調整作業に要する負担を大幅に軽減することで、無線通信機の製品コストの削減を図ることができる無線通信機の送信出力制御装置を提供することにある。
【課題を解決するための手段】
【００１６】
開示装置は、送信信号を生成する送信信号生成部と、この送信信号生成部にて生成した送信信号を、設定周波数に応じたランピング制御信号に基づき増幅出力する高出力増幅部とを有する無線通信機の送信出力制御装置であって、前記無線通信機の通信可能周波数帯域の内、特定周波数における前記ランピング制御信号を設定した設定コード毎に、前記高出力増幅部固有の利得量を示す設定コード単位利得量特性及び、前記通信可能周波数帯域内の周波数毎に、前記高出力増幅部固有の利得量を示す周波数単位利得量特性を記憶した、前記高出力増幅部内部の固有特性記憶部と、前記固有特性記憶部に記憶中の設定コード単位利得量特性及び周波数単位利得量特性に基づき、前記ランピング制御信号の設定コードを演算取得し、この設定コードを前記高出力増幅部に通知する設定コード演算部と、前記設定コード演算部から受信した設定コードに基づき、前記ランピング制御信号を生成する、前記高出力増幅部内部のランピング制御信号生成部とを有することを要件とする。
【発明の効果】
【００１７】
開示装置によれば、高出力増幅部内に記憶中の高出力増幅部固有の設定コード単位利得量特性及び周波数単位利得量特性を使用して、設定周波数に応じた適正な利得量に関わるランピング制御信号の設定コードを演算取得し、その取得した設定コードを高出力増幅部に通知し、この設定コードに基づき、高出力増幅部側でランピング制御信号を生成する。その結果、無線通信機の工場出荷時の送信出力調整作業を簡素化し、その調整作業に要する負担を大幅に軽減することで、無線通信機の製品コストの低減を図ることができるという効果を奏する。
【発明を実施するための最良の形態】
【００１８】
以下、図面に基づき本発明の無線通信機の送信出力制御装置に関わる実施例について詳細に説明する。
【００１９】
まず、最初に本実施例の概要を説明するとすれば、その概要は、高出力増幅部内部に高出力増幅部固有の設定コード単位利得量特性及び周波数単位利得量特性を予め記憶しておき、送信信号生成部側では、高出力増幅部に記憶中の高出力増幅部固有の設定コード単位利得量特性及び周波数単位利得量特性に基づき、無線基地局側で設定した設定周波数に応じた適正な利得量に関わるランピング制御信号の設定コードを演算取得し、その取得した設定コードを高出力増幅部に通知する。
【００２０】
そして、高出力増幅部では、送信信号生成部から受信した設定コードに基づきランピング制御信号を生成し、このランピング制御信号に基づき、送信信号を増幅出力するようにした。
【００２１】
その結果、無線通信機の工場出荷時の送信出力調整作業を簡素化し、その調整作業に要する負担を大幅に軽減することで、製品コストの低減を図ることができるというものである。
【実施例１】
【００２２】
図１は、実施例１の送信出力制御装置内部の概略構成を示すブロック図である。
【００２３】
図１に示す送信出力制御装置１は、送信信号であるＲＦ信号を生成出力する送信信号生成部２と、送信信号生成部２にて生成したＲＦ信号を増幅するＨＰＡ３と、ＨＰＡ３にて増幅したＲＦ信号をアンテナ４経由で送信出力するＦＥＭ５と、通信可能周波数帯域内の周波数帯毎に、ＦＥＭ５の利得損失分を補償するＦＥＭ用利得量を記憶したＦＥＭ用利得量記憶部６とを有している。
【００２４】
送信信号生成部２は、ベースバンド信号を出力するベースバンド処理部１０と、ベースバンド処理部１０からのベースバンド信号をＲＦ変調してＲＦ信号を出力する無線処理部２０とを有している。尚、ベースバンド処理部１０は、図示せぬ中央処理装置（以下、単にＣＰＵと称する）及びモデムの機能を備えている。
【００２５】
ＨＰＡ３は、ランピングマスク仕様を満たすべく、ランピング制御信号に応じてＲＦ信号のゲイン及びバースト波形を決定している。
【００２６】
ＨＰＡ３は、ランピング制御信号に基づきＲＦ信号を増幅出力するアンプ部３１と、後述する設定コードに基づき、アナログ制御電圧のランピング制御信号を生成するランピング制御信号生成部３２と、ＨＰＡ３の個体固有の特性を記憶する固有特性記憶部３３とを有している。
【００２７】
固有特性記憶部３３は、例えばＲＯＭで構成し、無線通信機の通信可能周波数帯域の内、特定周波数におけるランピング制御信号を設定した設定コード毎に、ＨＰＡ３の個体固有の利得量を示す設定コード単位利得量特性及び、通信可能周波数帯域内の周波数毎に、ＨＰＡ３の個体固有の利得量を示す周波数単位利得量特性を記憶するものである。尚、ＨＰＡ３の部品出荷時に、設定コード単位利得量特性及び周波数単位利得量特性を固有特性記憶部に予め記憶しておくものである。
【００２８】
図２は、設定コード単位利得量特性を端的に示す説明図、図３は、設定コード単位利得量特性の内容をテーブル的に示す説明図、図４は、周波数単位利得量特性の内容をテーブル的に示す説明図である。
【００２９】
図２及び図３に示す設定コード単位利得量特性は、例えば、８５０ＭＨｚ帯のＧＳＭ方式の無線通信機の場合、８５０ＭＨｚ帯の内、特定周波数、例えば中心周波数（８３６．６ＭＨｚ）でのランピング制御信号を設定した設定コード毎に、ＨＰＡ３の個体固有の利得量を示すものである。
【００３０】
また、図４に示す周波数単位利得量特性は、８５０ＭＨｚ帯のＧＳＭ方式の無線通信機の場合、８５０ＭＨｚ帯内の周波数毎に、ＨＰＡ３の個体固有の利得量を示すものである。
【００３１】
また、ランピング制御信号生成部３２は、送信信号生成部２からディジタル形式の設定コードを受信すると、受信した設定コードに基づきアナログ制御電圧のランピング制御信号を生成するものである。
【００３２】
アンプ部３１は、ランピング制御信号生成部３２にて生成したランピング制御信号に基づき、送信信号生成部２にて生成したＲＦ信号を増幅出力するものである。
【００３３】
図５は、ＦＥＭ用利得量記憶部６のテーブル内容を端的に示す説明図である。
【００３４】
図５に示すＦＥＭ用利得量記憶部６は、例えば不揮発性メモリで構成し、通信可能周波数帯域内の周波数帯、例えば、絶対無線周波数チャネル（以下、単にＡＲＦＣＮと称する）毎に、ＦＥＭ５内部のアンテナ切替部５Ａで生じる伝送損失を補償するためのＦＥＭ用利得量を記憶している。尚、ＦＥＭ５で生じる伝送損失のバラツキは、ＨＰＡ３のバラツキに比較して極めて小さいため、ＦＥＭ５の伝送損失を補償する標準値としての利得量で足りる。
【００３５】
また、ＦＥＭ用利得量記憶部６は、所定周波数帯に対応したＦＥＭ用利得量のみを記憶することになるため、そのメモリ容量も最小限に抑制することができる。
【００３６】
図１に示すベースバンド処理部１０は、ベースバンド信号を出力するベースバンド信号出力部１１と、ＨＰＡ３内部の固有特性記憶部３３に記憶中の設定コード単位利得量特性及び周波数単位利得量特性に基づき、ＨＰＡ３の利得量を算出する利得量演算部１２と、利得量演算部１２にて算出した利得量に対応するランピング制御信号の最終的な設定コードを設定コード単位利得量特性から取得するランピング制御用設定コード取得部１３とを有している。
【００３７】
利得量演算部１２は、通信時に無線通信する無線基地局側で設定する設定周波数及び、その設定周波数に対する設定出力量を検出する設定検出部４１と、設定検出部４１にて設定周波数及び設定出力量を検出すると、設定コード単位利得量特性及び周波数単位利得量特性を固有特性記憶部３３から取得する固有特性取得部４２とを有している。
【００３８】
固有特性取得部４２は、無線処理部２０を経由することなく、固有特性記憶部３３に記憶中の設定コード単位利得量特性及び周波数単位利得量特性を直接取得するものである。
【００３９】
利得量演算部１２は、設定周波数に対応するＦＥＭ用利得量をＦＥＭ用利得量記憶部６から取得するＦＥＭ用利得量取得部４３と、固有特性取得部４２にて取得した設定コード単位利得量特性及び周波数単位利得量特性や、ＦＥＭ用利得量取得部４３にて取得した設定周波数に対応するＦＥＭ用利得量を一時的に保持するランダムアクセスメモリ（以下、単にＲＡＭと称する）４４とを有している。
【００４０】
利得量演算部１２は、設定出力量に対応する設定コードを設定コード単位利得量特性から取得する設定コード取得部４５と、設定コード単位利得量特性の特定周波数及び設定周波数に対応する利得量を周波数単位利得量特性から取得する利得量取得部４６と、利得量取得部４６にて取得した特定周波数及び設定周波数に対応する利得量同士の差分を算出し、この差分結果の利得量、設定出力量及び、設定周波数に対応する周波数帯のＦＥＭ用利得量を加算する利得量算出部４７とを有している。
【００４１】
無線処理部２０は、ベースバンド信号出力部１１からのベースバンド信号をＲＦ変調してＲＦ信号を出力するＲＦ変調部２２と、ベースバンド処理部１０内のランピング制御用設定コード取得部１３にて取得した最終的な設定コードをＨＰＡ３に通知する設定コード通知部２１を有している。  
【００４２】
設定コード通知部２１は、ＨＰＡ３に対する設定コードの通知開始から、この設定コードに基づき、ランピング制御信号生成部３２にてランピング制御信号を生成出力するまでの所要時間を予め設定し、この所要時間に基づき、設定コードの通知開始から、その設定コードに基づきランピング制御信号生成部３２側で生成したランピング制御信号がＨＰＡ３内のアンプ部３１に到達するタイミングと、ＲＦ変調部２２のＲＦ信号がアンプ部３１に到達するタイミングとが合致するように、設定コードの通知開始タイミングを制御する
ものである。
【００４３】
次に、実施例１の送信出力制御装置１の動作について説明する。
【００４４】
ＨＰＡ３の個体固有の設定コード単位利得量特性及び周波数単位利得量特性を固有特性記憶部３３に予め記憶したＨＰＡ３を送信出力制御装置１に実装してあるものとする。尚、固有特性記憶部３３の記憶内容はＨＰＡ３の製品出荷時に記憶するものである。
【００４５】
まず、そのＨＰＡ３を実装した送信出力制御装置１を内蔵する無線通信機の工場出荷時に、ＡＲＦＣＮ毎にＦＥＭ５の伝送損失量を調整し、その調整値として伝送損失量を補償するＦＥＭ利得量をＦＥＭ用利得量記憶部６に記憶する。尚、無線通信機の工場出荷時にＦＥＭの伝送損失を補償するための調整作業を行うものである。その後、その無線通信機を工場出荷する。
【００４６】
次に、無線通信機を使用する場合の動作について説明する。尚、説明の便宜上、無線通信機は８５０ＭＨｚ帯のＧＳＭ方式、ＨＰＡ３内部の固有特性記憶部３３に記憶中の設定コード単位利得量特性及び周波数単位利得量特性に関わる特定周波数は８５０ＭＨｚ帯の中心周波数に相当する“８３６．６ＭＨｚ”とする。
【００４７】
無線通信機の送信出力制御装置１内部のベースバンド処理部１０では、利得量演算部１２内の設定検出部４１を通じて無線基地局からの設定周波数及び設定出力量を検出する。尚、設定周波数はＡＲＦＣＮ１２８（８２４．２ＭＨｚ）及び設定出力量は３１ｄＢｍとする。
【００４８】
利得量演算部１２内の固有特性取得部４２は、設定周波数及び設定出力量を検出すると、ＨＰＡ３内部の固有特性記憶部３３に記憶中の設定コード単位利得量特性及び周波数単位利得量特性を取得し、これら設定コード単位利得量特性及び周波数単位利得量特性をＲＡＭ４４に保持する。
【００４９】
また、利得量演算部１２内のＦＥＭ用利得量取得部４３は、ＦＥＭ用利得量記憶部６に記憶中のＦＥＭ用利得量を取得し、取得したＦＥＭ用利得量をＲＡＭ４４に保持する。
【００５０】
利得量演算部１２内の設定コード取得部４５は、図３に示すように、ＲＡＭ４４に保持中の設定コード単位利得量特性から設定出力量“３１ｄＢｍ”に対応する設定コード“８０３”を取得する。
【００５１】
また、利得量演算部１２内の利得量取得部４６は、図４に示すように、ＲＡＭ４４に保持中の周波数単位利得量特性から特定周波数“８３６．６ＭＨｚ”に対応する利得量“３０ｄＢｍ”を取得すると共に、ＲＡＭ４４に保持中の周波数単位利得量特性から設定周波数“８２４．２ＭＨｚ”に対応する利得量“２９．２ｄＢｍ”を取得する。
【００５２】
利得量演算部１２内の利得量算出部４７は、利得量取得部４６にて取得した特定周波数の利得量“３０ｄＢｍ”及び設定周波数の利得量“２９．２ｄＢｍ”の差分結果、すなわち３０ｄＢｍ−２９．２ｄＢｍ＝０．８ｄＢｍを得ることになる。つまり、利得量演算部１２側では、特定周波数の設定コードの利得量に対して０．８ｄＢｍ分調整する必要があることを認識する。
【００５３】
利得量算出部４７は、特定周波数の設定コード“８０３”の利得量“３１ｄＢｍ”と調整（差分結果）分である“０．８ｄＢｍ”との加算結果、すなわち３１ｄＢｍ＋０．８ｄＢｍ＝３１．８ｄＢｍを得ることになる。この場合、利得量算出部４７では、図３に示すように、ＲＡＭ４４に保持中の設定コード単位利得量特性から利得量“３１．８ｄＢｍ”に対応する設定コード“８０７”を取得することになる。
【００５４】
しかしながら、利得量算出部４７では、利得量“３１．８ｄＢｍ”の場合、ＦＥＭ５の伝送損失分を考慮していないため、図５に示すように、ＲＡＭ４４に保持中の設定周波数８２４．２ＭＨｚに対応する周波数帯“ＡＲＦＣＮ１２８”のＦＥＭ用利得量“０．８ｄＢｍ”を取得する。
【００５５】
利得量算出部４７は、加算結果“３１．８ｄＢｍ”とＦＥＭ用利得量“０．８ｄＢｍ”との加算結果、すなわち３１．８ｄＢｍ＋０．８ｄＢｍ＝３２．６ｄＢｍを得る。その結果、ＦＥＭ３の伝送損失分（ＦＥＭ調整分）を加味した利得量を得たことになる。
【００５６】
ランピング制御用設定コード取得部１３は、図３に示すように、利得量算出部４７の加算結果（３１ｄＢｍ＋０．８ｄＢｍ（ＨＰＡ調整分）＋０．８ｄＢｍ（ＦＥＭ調整分）＝３２．６ｄＢｍ）に対応する最終的な設定コード“８１１”として、ＲＡＭ４４に保持中の設定コード単位利得量特性から取得する。
【００５７】
ランピング制御用設定コード取得部１３は、最終的な設定コード“８１１”を取得すると、取得した設定コード“８１１”を無線処理部２０内部の設定コード通知部２１に通知する。
【００５８】
設定コード通知部２１は、設定コード“８１１”を受信すると、この設定コード“８１１”をＨＰＡ３内部のランピング制御信号生成部３２に通知する。尚、設定コード通知部２１は、記憶中の所要時間に基づき、その通知する設定コードに基づきランピング制御信号生成部３２にて生成したランピング制御信号がＨＰＡ３内のアンプ部３１に到達するタイミングと、ＲＦ変調部２２のＲＦ信号がアンプ部３１に到達するタイミングとが合致するように、設定コード“８１１”をランピング制御信号生成部３２に通知するものである。
【００５９】
ランピング制御信号生成部３２は、ディジタルの設定コード“８１１”を受信すると、設定コード“８１１”に基づき、アナログ制御電圧のランピング制御信号を生成する。
【００６０】
ＨＰＡ３内部のアンプ部３１は、ランピング制御信号生成部３２にて生成したランピング制御信号に基づき、無線処理部２０からのＲＦ信号を増幅出力する。その結果、送信制御装置１では、設定周波数に応じた適切な設定出力量の送信出力制御を実現するものである。
【００６１】
実施例１では、ＨＰＡ３個体固有の設定コード単位利得量特性及び周波数単位利得量特性をＨＰＡ３内部の固有特性記憶部３３に格納しているため、無線通信機の工場出荷時のＨＰＡ３の調整が不要となる。その結果、工場出荷時の調整作業を簡素化し、その調整作業に要する負担を大幅に軽減することで、無線通信機の製品コストの削減を図ることができる。
【００６２】
実施例１では、ＨＰＡ３内部にランピング制御信号生成部３２を設け、ＨＰＡ３内部でアナログ制御電圧のランピング制御信号を生成するようにしたので、ＨＰＡ３外部からアナログ制御電圧のランピング制御信号を供給する場合に比較しても、設定コードをランピング制御信号にアナログ変換する外部のＤ／Ａ変換部の出力電圧バラツキを考慮する必要もなくなる。
【００６３】
実施例１では、設定コード通知部２１を通じて無線処理部２０からＨＰＡ３に伝送するデータがディジタル化した設定コードであるため、無線処理部２０及びＨＰＡ３間の伝送路上のノイズ影響を考慮する必要はなく、ノイズ除去用フィルタ等のパスコンも不要になる。
【００６４】
実施例１では、通信可能周波数帯内の特定周波数におけるＨＰＡ３個体固有の設定コード単位利得量特性及び、ＨＰＡ３個体固有の周波数単位利得量特性をＨＰＡ３内部の固有特性記憶部３３に記憶し、これら設定コード単位利得量特性及び周波数単位利得量特性に基づき、通信可能周波数帯内の各設定周波数に対応した設定出力量の設定コードを取得できる。しかも、通信可能周波数帯の全周波数の設定コード単位利得量特性を記憶するのではなく、特定周波数の設定コード単位利得量特性を記憶するだけで済むため、その固有特性記憶部３３の記憶容量も最小限に抑制することができる。
【００６５】
実施例１では、利得量取得部４６にて特定周波数及び設定周波数に対応する利得量を周波数単位利得量特性から取得し、これら取得した特定周波数及び設定周波数の利得量同士の差分結果である利得量と、設定出力量と、設定周波数に対応したＦＥＭ利得量とを加算し、その加算結果である利得量に対応した最終的な設定コードを設定コード単位利得量特性から取得し、この最終的な設定コードに基づきランピング制御信号を生成する。その結果、工場出荷時にＨＰＡ３のバラツキ調整を実行しなくても、設定周波数に対応する最適な送信出力制御を実現することができる。
【００６６】
実施例１では、ＨＰＡ３に対する設定コードの通知開始から、ランピング制御信号生成部３２にて設定コードに基づきランピング制御信号を生成出力するまでの所要時間を予め設定し、この所要時間に基づき、アンプ部３１に対するＲＦ信号の到達タイミングと、アンプ部３１に対するランピング制御信号の到達タイミングとを合わせるべく、設定コード通知部２１の設定コード通知開始タイミングを制御するようにしたので、最適な送信出力制御を実現することができる。
【００６７】
尚、実施例１の送信出力制御装置１では、無線処理部２０内の設定コード通知部２１を通じて設定コードをＨＰＡ３内部のランピング制御信号生成部３２に通知するようにしたが、無線処理部２０を経由することなく、その設定コードをベースバンド処理部１０からランピング制御信号生成部３２に直接通知するようにしても良く、その実施例につき、説明する。
【実施例２】
【００６８】
図６は、実施例２の送信出力制御装置１Ａ内部の概略構成を示すブロック図である。尚、図１に示す送信出力制御装置１と同一の構成には同一符号を付すことで、その重複する構成及び動作の説明については省略する。
【００６９】
図６に示す送信出力制御装置１Ａと図１に示す送信出力制御装置１とが異なるところは、無線処理部２０内部の設定コード通知部２１の代わりに、設定コード通知部２１Ａをベースバンド処理部１０内部に設けた点にある。
【００７０】
ベースバンド処理部１０内の設定コード通知部２１Ａは、ランピング制御用設定コード取得部１３にてランピング制御信号の設定コードを設定コード単位利得量特性から取得すると、無線処理部２０を経由することなく、その取得した設定コードをＨＰＡ３内のランピング制御信号生成部３２に直接通知するものである。
【００７１】
その際、設定コード通知部２１Ａは、設定コードの通知開始から、ランピング制御信号生成部３２側で設定コードに基づきランピング制御信号を生成出力するまでの所要時間を予め設定し、この所要時間に基づき、設定コードの通知開始からランピング制御信号生成部３２側で生成したランピング制御信号がＨＰＡ３内のアンプ部３１に到達するタイミング（ランピング制御信号の出力タイミング）と、ベースバンド信号出力部１１から無線処理部２０経由でＲＦ信号がアンプ部３１に到達するタイミングとを合わせるべく、ランピング制御信号生成部３２に対する設定コードの通知開始タイミングを制御するものである。
【００７２】
実施例２では、ベースバンド処理部１０内の設定コード通知部２１から設定コードをＨＰＡ３に直接通知するようにしたので、実施例１の場合に比較して、無線処理部２０での処理負担を大幅に軽減することができる。
【００７３】
尚、実施例１では、ベースバンド処理部１０内の固有特性取得部４２にて、無線処理部２０を経由することなく、固有特性記憶部３３に記憶中の設定コード単位利得量特性及び周波数単位利得量特性を取得するようにしたが、無線処理部２０側で固有特性記憶部３３に記憶中の設定コード単位利得量特性及び周波数単位利得量特性を取得するようにしても良く、その実施例につき、説明する。
【実施例３】
【００７４】
図７は、実施例３の送信出力制御装置１Ｂ内部の概略構成を示すブロック図である。尚、図１に示す送信出力制御装置１と同一の構成には同一符号を付すことで、その重複する構成及び動作の説明については省略する。
【００７５】
図７に示す送信出力制御装置１Ｂと図１に示す送信出力制御装置１とが異なるところは、ベースバンド処理部１０内の固有特性取得部４２の代わりに、固有特性取得部４２Ａを無線処理部２０内部に設けた点にある。
【００７６】
無線処理部２０内の固有特性取得部４２Ａは、ベースバンド処理部１０内の設定検出部４１にて無線基地局側の設定周波数及び設定出力量を検出すると、ＨＰＡ３内の固有特性記憶部３３に記憶中の設定コード単位利得量特性及び周波数単位利得量特性を取得するものである。
【００７７】
そして、固有特性取得部４２Ａは、固有特性記憶部３３に記憶中の設定コード単位利得量特性及び周波数単位利得量特性を取得すると、これら取得した設定コード単位利得量特性及び周波数単位利得量特性をベースバンド処理部１０内の利得量演算部１２内のＲＡＭ４４に保持するものである。
【００７８】
実施例３では、ＨＰＡ３内部の固有特性記憶部３３に記憶中の設定コード単位利得量特性及び周波数単位利得量特性を無線処理部２０内の固有特性取得部４２Ａにて取得し、これら取得した設定コード単位利得量特性及び周波数単位利得量特性をベースバンド処理部１０内に伝送するようにしたので、ＨＰＡ３、無線処理部２０及びベースバンド処理部１０内部以外の伝送路の距離を短縮化することで、伝送路上の設定コード単位利得量特性及び周波数単位利得量特性の雑音成分による劣化を防止することができる。
【００７９】
尚、上記実施例１乃至３では、ＦＥＭ用利得量記憶部６に記憶中の各通信可能周波数帯内のＡＲＦＣＮ毎のＦＥＭ用利得量を３チャネル分としたが、周波数帯内のＡＲＦＣＮ間のバラツキが大きい場合、チャネル数を増やし、そのチャネル数に応じてＦＥＭ用利得量を記憶するようにしても良い。
【００８０】
また、上記実施例１乃至３では、設定コードの通知タイミングを作成するための所要時間を設定コード通知部２１内に予め記憶するようにしたが、無線処理部２０やベースバンド処理部１０以外のＨＰＡ３内部や外部メモリに予め記憶するようにしても良い。
【００８１】
また、上記実施例１乃至３では、特定周波数及び設定周波数の利得量同士の差分結果である利得量と、設定出力量と、設定周波数に対応したＦＥＭ利得量とを加算し、その加算結果である利得量に対応した最終的な設定コードを設定コード単位利得量特性から取得するようにしたが、例えば、ＦＥＭ５のバラツキが許容範囲内に抑制できる場合、特定周波数及び設定周波数の利得量同士の差分結果である利得量及び設定出力量を加算し、その加算結果である利得量に対応した最終的な設定コードを設定コード単位利得量特性から取得するようにしても良い。
【００８２】
以上、本発明の実施例について説明したが、本実施例によって本発明の技術的思想の範囲が限定されるものではなく、特許請求の範囲に記載した技術的思想の範囲を逸脱しない限り、各種様々な実施例が実施可能であることは言うまでもない。また、本実施例に記載した効果は、これに限定されるものではない。
【００８３】
また、本実施例で説明した各種処理動作の内、自動的に行われるものとして説明した処理動作の全部又は一部を手動で行うことも可能であることは勿論のこと、その逆に、手動で行われるものとして説明した処理動作の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。
【００８４】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。
【００８５】
さらに、各装置で行われる各種処理機能は、ＣＰＵ（Ｃｅｎｔｒａｌ  Ｐｒｏｃｅｓｓｉｎｇ  Ｕｎｉｔ）（又はＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌｌｅｒ  Ｕｎｉｔ）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【００８６】
以上、本実施例を含む実施の形態に関し、更に以下の付記を開示する。
【００８７】
（付記１）送信信号を生成する送信信号生成部と、この送信信号生成部にて生成した送信信号を、設定周波数に応じたランピング制御信号に基づき増幅出力する高出力増幅部とを有する無線通信機の送信出力制御装置であって、
前記無線通信機の通信可能周波数帯域の内、特定周波数における前記ランピング制御信号を設定した設定コード毎に、前記高出力増幅部固有の利得量を示す設定コード単位利得量特性及び、前記通信可能周波数帯域内の周波数毎に、前記高出力増幅部固有の利得量を示す周波数単位利得量特性を記憶した、前記高出力増幅部内部の固有特性記憶部と、
前記固有特性記憶部に記憶中の設定コード単位利得量特性及び周波数単位利得量特性に基づき、前記ランピング制御信号の設定コードを演算取得し、この設定コードを前記高出力増幅部に通知する設定コード演算部と、
前記設定コード演算部から受信した設定コードに基づき、前記ランピング制御信号を生成する、前記高出力増幅部内部のランピング制御信号生成部と
を有することを特徴とする無線通信機の送信出力制御装置。
【００８８】
（付記２）送信信号を生成する送信信号生成部と、この送信信号生成部にて生成した送信信号を、設定周波数に応じたランピング制御信号に基づき増幅出力する高出力増幅部とを有する無線通信機の送信出力制御装置であって、
前記無線通信機の通信可能周波数帯域の内、特定周波数における前記ランピング制御信号を設定した設定コード毎に、前記高出力増幅部固有の利得量を示す設定コード単位利得量特性及び、前記通信可能周波数帯域内の周波数毎に、前記高出力増幅部固有の利得量を示す周波数単位利得量特性を記憶した、前記高出力増幅部内部の固有特性記憶部と、
前記固有特性記憶部に記憶中の設定コード単位利得量特性及び周波数単位利得量特性を取得し、これら取得した設定コード単位利得量特性及び周波数単位利得量特性に基づき、前記高出力増幅部の利得量を算出する利得量演算部と、
前記利得量演算部にて算出した前記利得量に対応する前記ランピング制御信号の設定コードを前記設定コード単位利得量特性から取得するランピング制御用設定コード取得部と、
前記ランピング制御用設定コード取得部にて取得した設定コードを前記高出力増幅部に通知する設定コード通知部と、
前記設定コード通知部から受信した設定コードに基づき、前記ランピング制御信号を生成する、前記高出力増幅部内部のランピング制御信号生成部と
を有することを特徴とする無線通信機の送信出力制御装置。
【００８９】
（付記３）前記利得量演算部は、
無線通信する無線基地局側で設定した前記設定周波数及び、その設定周波数に対する設定出力量を検出する設定検出部と、
前記設定検出部にて設定周波数及び設定出力量を検出すると、前記設定コード単位利得量特性及び前記周波数単位利得量特性を前記固有特性記憶部から取得する固有特性取得部と、
前記設定出力量に対応する設定コードを前記設定コード単位利得量特性から取得する設定コード取得部と、
前記設定コード単位利得量特性の前記特定周波数及び前記設定周波数に対応する利得量を前記周波数単位利得量特性から取得する利得量取得部と、
前記利得量取得部にて取得した前記特定周波数及び前記設定周波数に対応する利得量同士の差分を算出し、この差分結果と前記設定出力量とを加算する利得量算出部とを有し、
前記ランピング制御用設定コード取得部は、
前記利得量算出部の加算結果である前記利得量に対応する前記ランピング制御信号の設定コードを前記設定コード単位利得量特性から取得することを特徴とする付記２記載の無線通信機の送信出力制御装置。
【００９０】
（付記４）前記高出力増幅器にて増幅出力した前記送信信号をアンテナ出力する前段回路部と、
前記通信可能周波数帯域内の周波数帯毎に、前記前段回路部の利得損失分を補償する前段回路用利得量を記憶した前段回路用利得量記憶部とを有し、
前記利得量算出部は、
前記設定周波数に対応する前記周波数帯の前段回路用利得量を前記前段回路用利得量記憶部から取得し、この取得した前段回路用利得量と、前記利得量取得部にて取得した前記特定周波数及び前記設定周波数に対応する利得量同士の差分結果と、前記設定出力量とを加算することを特徴とする付記３記載の無線通信機の送信出力制御装置。
【００９１】
（付記５）前記設定コード通知部は、
前記高出力増幅部に対する前記設定コードの通知開始から、この設定コードに基づき、前記ランピング制御信号生成部にて前記ランピング制御信号を生成出力するまでの所要時間を予め設定し、この所要時間に基づき、前記高出力増幅部による前記送信信号の受信タイミングと、前記ランピング制御信号の出力タイミングとを合わせるべく、前記設定コードの通知開始タイミングを制御することを特徴とする付記２〜４の何れか一記載の無線通信機の送信出力制御装置。
【００９２】
（付記６）前記送信信号生成部は、
ベースバンド信号を生成するベースバンド処理部と、
前記ベースバンド処理部にて生成した前記ベースバンド信号を変調して前記送信信号を出力する無線処理部とを有し、
前記ベースバンド処理部は、
前記利得量演算部及び前記ランピング制御用設定コード取得部を有し、
前記無線処理部は、
前記設定コード通知部を有することを特徴とする付記２〜５の何れか一記載の無線通信機の送信出力制御装置。
【００９３】
（付記７）前記利得量演算部は、
前記固有特性記憶部に記憶中の設定コード単位利得量特性及び周波数単位利得量特性を前記無線処理部経由で取得することを特徴とする付記６記載の無線通信機の送信出力制御装置。
【００９４】
（付記８）前記送信信号生成部は、
ベースバンド信号を生成するベースバンド処理部と、
前記ベースバンド処理部にて生成した前記ベースバンド信号を変調して前記送信信号を出力する無線処理部とを有し、
前記ベースバンド処理部は、
前記利得量演算部、前記ランピング制御用設定コード取得部及び前記設定コード通知部を有し、
前記設定コード通知部は、
前記ベースバンド処理部から設定コードを前記高出力増幅部に直接通知することを特徴とする付記２〜５の何れか一記載の無線通信機の送信出力制御装置。
【００９５】
（付記９）送信信号生成部で生成した送信信号を、設定周波数に応じたランピング制御信号に基づき高出力増幅部で増幅出力する無線通信機の送信出力制御方法であって、
前記無線通信機の通信可能周波数帯域の内、特定周波数における前記ランピング制御信号を設定した設定コード毎に、前記高出力増幅部固有の利得量を示す設定コード単位利得量特性及び、前記通信可能周波数帯域内の周波数毎に、前記高出力増幅部固有の利得量を示す周波数単位利得量特性を記憶した前記高出力増幅部側の固有特性記憶ステップと、
前記固有特性記憶ステップで記憶した設定コード単位利得量特性及び周波数単位利得量特性を取得し、これら取得した設定コード単位利得量特性及び周波数単位利得量特性に基づき、前記高出力増幅部の利得量を算出する利得量演算ステップと、
前記利得量演算ステップにて算出した前記利得量に対応する前記ランピング制御信号の設定コードを前記設定コード単位利得量特性から取得するランピング制御用設定コード取得ステップと、
前記ランピング制御用設定コード取得ステップにて取得した設定コードを前記高出力増幅部に通知する設定コード通知ステップと、
前記設定コード通知ステップから受信した設定コードに基づき、前記ランピング制御信号を生成する、前記高出力増幅部側のランピング制御信号生成ステップと
を含むことを特徴とする無線通信機の送信出力制御方法。
【図面の簡単な説明】
【００９６】
【図１】実施例１の送信出力制御装置内部の概略構成を示すブロック図である。
【図２】設定コード単位利得量特性を端的に示す説明図である。
【図３】設定コード単位利得量特性の内容をテーブル的に示す説明図である。
【図４】周波数単位利得量特性の内容をテーブル的に示す説明図である。
【図５】ＦＥＭ用利得量記憶部のテーブル内容を端的に示す説明図である。
【図６】実施例２の送信出力制御装置内部の概略構成を示すブロック図である。
【図７】実施例３の送信出力制御装置内部の概略構成を示すブロック図である。
【符号の説明】
【００９７】
１  送信出力制御装置
２  送信信号生成部
３  ＨＰＡ
５  ＦＥＭ
６  ＦＥＭ用利得量記憶部
１０  ベースバンド処理部
１２  利得量演算部
１３  ランピング制御設定コード取得部
２０  無線処理部
２１  設定コード通知部
２１Ａ  設定コード通知部
３２  ランピング制御信号生成部
３３  固有特性記憶部
４１  設定検出部
４２  固有特性取得部
４２Ａ  固有特性取得部
４３  ＦＥＭ用利得量取得部
４５  設定コード取得部
４６  利得量取得部
４７  利得量算出部
【図１】
2010130221.tif 000003
【図２】
2010130221.tif 000004
【図３】
2010130221.tif 000005
【図４】
2010130221.tif 000006
【図５】
2010130221.tif 000007
【図６】
2010130221.tif 000008
【図７】
2010130221.tif 000009